(57)【要約】【課題】運転内容を決定する場合に操作すべき操作部（操作ボタン）が分かりやすく、運転内容を容易に決定することができる電気機器の提供。【解決手段】洗濯乾燥機の運転内容は、操作パネル１５に設けてある複数の操作ボタンの押圧によって決定され、複数の操作ボタンの中の少なくとも１つは、操作パネル１５上での表示／非表示の切換えが可能に設けてある。ＣＰＵ６０は、複数の操作ボタンの中の一の操作ボタンが押圧された場合、複数の操作ボタンの中で非表示から表示に切換えるべき一又は複数の操作ボタンを示す第１切出情報を不揮発性メモリ６３から読み出し、読み出した第１切出情報が示す一又は複数の操作ボタンを非表示から表示に切換える。【選択図】図３
2014050601.tif 000002
【特許請求の範囲】
【請求項１】
操作パネルに設けてある複数の操作部夫々の操作によって決定される運転内容で運転を行う電気機器において、
前記複数の操作部の中の少なくとも１つは、前記操作パネル上での表示／非表示の切換えが可能に設けてあり、
前記複数の操作部の中の一の操作部に対して所定の操作が行われた場合に、前記複数の操作部の中で非表示から表示に切換えるべき一又は複数の操作部を示す切換情報を記憶してある記憶手段と、
前記一の操作部に対して前記所定の操作が行われた場合に、前記記憶手段に記憶してある切換情報を読み出す読出手段と、
該読み出し手段が読み出した切換情報が示す一又は複数の操作部を非表示から表示に切換える切換手段と
備えることを特徴とする電気機器。
【請求項２】
表示／非表示の切換えが可能な前記操作部の中で操作された一又は複数の操作部を示す操作履歴を記憶する第２の記憶手段と、
該第２の記憶手段が記憶した操作履歴に基づいて、前記記憶手段に記憶してある切換情報が示す一又は複数の操作部を書き換える書換手段と
を備えることを特徴とする請求項１に記載の電気機器
【請求項３】
前記切換情報を書き換えるための書換操作部と、
該書換操作部に所定の操作が行われた場合に、前記切換情報が示す一又は複数の操作部を、表示してある一又は複数の操作部に書き換える書換手段と
を備えることを特徴とする請求項１に記載の電気機器。
【請求項４】
前記記憶手段は、前記一の操作部に前記所定の操作が行われた場合における前記運転内容に応じた複数の前記切換情報を記憶しており、
前記読出手段は、前記一の操作部に対して前記所定の操作が行われた場合に、前記運転内容に応じた前記切換情報を前記記憶手段から読み出すように構成してあること
を特徴とする請求項１に記載の電気機器。
【発明の詳細な説明】
【技術分野】
【０００１】
本発明は、操作パネルに設けられた複数の操作部夫々の操作によって決定される運転内容で運転を行う電気機器に関する。
【背景技術】
【０００２】
現在、洗濯乾燥機は、高機能化されており、洗濯物の種類又は汚れ具合に応じて洗濯する機能、予約された時刻に洗濯及び／又は乾燥を終了する機能、及び、ふろ水を用いて洗濯する機能等の多数の機能を備えている。
【０００３】
従って、洗濯乾燥機は、操作パネルに、洗濯運転、乾燥運転、並びに、洗濯及び乾燥を行う運転の中から１つを選択するための操作ボタンだけではなく、洗濯物の種類又は汚れ具合に応じた洗濯コースを選択するための操作ボタン、並びに、洗濯及び／又は乾燥を終了する時間を予約するための操作ボタン等を備えている。
【０００４】
このように、洗濯乾燥機には、操作パネルに運転内容を所定の運転内容に決定するための操作ボタンが多数設けられているため、使用者にとって運転内容を決定する場合に操作すべき操作ボタンが分かりづらく、運転内容を決定することが難しいという問題点がある。
【０００５】
特許文献１には、使用者による操作ミスを防止することができる洗濯機が開示されている。この洗濯機も、操作パネルに、運転内容を決定するための多数の操作ボタンを備えている。特許文献１に記載の洗濯機では、運転内容の決定状況に対応する操作ボタンが種々の色の光で点灯する。これにより、使用者による操作ミスを防止している。
【先行技術文献】
【特許文献】
【０００６】
【特許文献１】特開平８−１４１２７８号公報
【発明の概要】
【発明が解決しようとする課題】
【０００７】
しかしながら、特許文献１に記載してある洗濯機では、全ての操作ボタンは、文字が印刷されているために常に視認可能な状態であり、使用者は、運転内容を決定していく場合に、操作する可能性がない又は低い操作ボタンを視認する。このため、使用者にとって運転内容を決定するために操作すべき操作ボタンが依然として分かりづらく、運転内容を決定することが難しいという問題点が十分に解消されていない。
同様の問題は、洗濯機を除く他の電気機器についても発生する。
【０００８】
本発明は斯かる事情に鑑みてなされたものであり、その目的とするところは、運転内容を決定する場合に操作すべき操作部（操作ボタン）が分かりやすく、運転内容を容易に決定することができる電気機器を提供することにある。
【課題を解決するための手段】
【０００９】
本発明に係る電気機器は、操作パネルに設けてある複数の操作部夫々の操作によって決定される運転内容で運転を行う電気機器において、前記複数の操作部の中の少なくとも１つは、前記操作パネル上での表示／非表示の切換えが可能に設けてあり、前記複数の操作部の中の一の操作部に対して所定の操作が行われた場合に、前記複数の操作部の中で非表示から表示に切換えるべき一又は複数の操作部を示す切換情報を記憶してある記憶手段と、前記一の操作部に対して前記所定の操作が行われた場合に、前記記憶手段に記憶してある切換情報を読み出す読出手段と、該読み出し手段が読み出した切換情報が示す一又は複数の操作部を非表示から表示に切換える切換手段と備えることを特徴とする。
【００１０】
本発明にあっては、運転内容の決定に用いられる複数の操作部夫々は操作パネルに設けてあり、複数の操作部の中の少なくとも１つは操作パネル上での表示／非表示の切換えが可能に構成してある。複数の操作部の中の一の操作部に対して所定の操作が行われた場合に、複数の操作部の中で非表示から表示に切換えるべき一又は複数の操作部、例えば、運転内容の決定で操作する可能性が高い一又は複数の操作部を示す切換情報を記憶手段から読み出す。記憶手段から読み出した切換情報が示す一又は複数の操作部を非表示から表示に切換える。
【００１１】
これにより、使用者が運転内容を決定する場合に、操作する可能性がない又は低い操作部を非表示にし、操作する可能性が高い操作部を表示することができ、使用者にとって運転内容を決定する場合に、操作すべき操作部が分かりやすく、運転内容の決定が容易である。
【００１２】
本発明に係る電気機器は、表示／非表示の切換えが可能な前記操作部の中で操作された一又は複数の操作部を示す操作履歴を記憶する第２の記憶手段と、該第２の記憶手段が記憶した操作履歴に基づいて、前記記憶手段に記憶してある切換情報が示す一又は複数の操作部を書き換える書換手段とを備えることを特徴とする。
【００１３】
本発明にあっては、第２の記憶手段は、表示／非表示の切換えが可能な操作部の中で操作された一又は複数の操作部を示す操作履歴を記憶し、第２の記憶手段が記憶した操作履歴に基づいて、記憶手段に記憶してある切換情報が示す一又は複数の操作部を書き換える。
【００１４】
これにより、使用者が一の操作部に対して所定の操作を行った場合に非表示から表示に切換えられる一又は複数の操作部が操作履歴に基づいて変更されるため、使用者にとって利便性が高い。
【００１５】
本発明に係る電気機器は、前記切換情報を書き換えるための書換操作部と、該書換操作部に所定の操作が行われた場合に、前記切換情報が示す一又は複数の操作部を、表示してある一又は複数の操作部に書き換える書換手段とを備えることを特徴とする。
【００１６】
本発明にあっては、切換情報を書き換えるための書換操作部に所定の操作が行われた場合、切換情報が示す一又は複数の操作部を、表示してある一又複数の操作部に書き換える。
【００１７】
このため、使用者は、書換操作部に所定の操作を行うことによって、一の操作部に対して所定の操作を行った場合に非表示から表示に切換えられる一又は複数の操作ボタンを、使用者が所望する一又は複数の操作ボタンに変更することが可能となり、使用者にとって利便性が高い。
【００１８】
本発明に係る電気機器は、前記記憶手段は、前記一の操作部に前記所定の操作が行われた場合における前記運転内容に応じた複数の前記切換情報を記憶しており、前記読出手段は、前記一の操作部に対して前記所定の操作が行われた場合に、前記運転内容に応じた前記切換情報を前記記憶手段から読み出すように構成してあることを特徴とする。
【００１９】
本発明にあっては、記憶手段には、一の操作部に所定の操作が行われた場合における運転内容に応じた複数の切換情報が記憶してある。一の操作部に対して所定の操作が行われた場合に、所定の操作が行われた際に決定してある運転内容に応じた切換情報が記憶手段から読み出される。
これにより、一の操作部に対して所定の操作が行われた場合に、決定してある運転内容に応じた一又は複数の操作部が表示されるので、使用者にとって利便性が高い。
【発明の効果】
【００２０】
本発明によれば、複数の操作部の中の一の操作部に対して所定の操作が行われた場合に、切換えるべき非表示の一又は複数の操作部を表示に切換えるので、運転内容を決定する場合に操作すべき操作部が分かりやすく、運転内容を容易に決定することができる。
【図面の簡単な説明】
【００２１】
【図１】実施の形態１に係る洗濯乾燥機の外観を略示する斜視図である。
【図２】実施の形態１に係る洗濯乾燥機の内部構成を略示する縦断面図である。
【図３】洗濯乾燥機の制御系の構成を示すブロック図である。
【図４】操作パネルの説明図である。
【図５】不揮発性メモリに記憶してある運転、コース及び第２切換情報の関係を示す図表である。
【図６】運転制御部のＣＰＵが実行する動作の手順を示すフローチャートである。
【図７】運転制御部のＣＰＵが実行する動作の手順を示すフローチャートである。
【図８】運転制御部のＣＰＵが実行する動作の手順を示すフローチャートである。
【図９】運転制御部のＣＰＵが操作パネルの面上で行う表示処理の一例の説明図である。
【図１０】運転制御部のＣＰＵが操作パネルの面上で行う表示処理の一例の説明図である。
【図１１】運転制御部のＣＰＵが操作パネルの面上で行う表示処理の一例の説明図である。
【図１２】運転制御部のＣＰＵが操作パネルの面上で行う表示処理の一例の説明図である。
【図１３】運転制御部のＣＰＵが操作パネルの面上で行う表示処理の一例の説明図である。
【図１４】運転制御部のＣＰＵが操作パネルの面上で行う表示処理の一例の説明図である。
【図１５】運転制御部のＣＰＵが操作パネルの面上で行う表示処理の一例の説明図である。
【図１６】運転制御部のＣＰＵが操作パネルの面上で行う表示処理の一例の説明図である。
【図１７】運転制御部のＣＰＵが操作パネルの面上で行う表示処理の一例の説明図である。
【図１８】実施の形態２に係る運転制御部のＣＰＵが操作パネルの面上で行う表示処理の手順を示すフローチャートである。
【図１９】実施の形態２に係る運転制御部のＣＰＵが操作パネルの面上で行う表示処理の手順を示すフローチャートである。
【図２０】実施の形態２に係る運転制御部のＣＰＵが操作パネルの面上で行う表示処理の手順を示すフローチャートである。
【発明を実施するための形態】
【００２２】
以下、本発明に係る電気機器の一例として洗濯乾燥機を挙げて、本発明をその実施の形態を示す図面に基づいて詳述する。
（実施の形態１）
図１は、実施の形態１に係る洗濯乾燥機の外観を略示する斜視図、図２は、実施の形態１に係る洗濯乾燥機の内部構成を略示する縦断面図である。
【００２３】
図２に示すように本発明に係る洗濯乾燥機は、外装を構成する外箱１の内部に洗濯槽２及び回転ドラム３を備えている。洗濯槽２は、一側に開口２０を備える大径の有底円筒体であり、外箱１の底面に立設された複数本の支持脚２１（１本のみ図示）により、開口２０の側を上とし、水平面に対して軸心を傾けた傾斜姿勢を保って弾性的に支持されている。
【００２４】
外箱１の前面（図２の左側面）には、洗濯槽２の開口２０を臨む位置に、蓋体１０によって開閉自在に洗濯物Ａの投入口１１が開設されており、投入口１１と洗濯槽２の開口２０との間は、ベローズ１２によって液密に封止されている。
【００２５】
洗濯槽２の内部には、回転ドラム３が収容されている。回転ドラム３は、洗濯槽２よりもやや小径の有底円筒体であり、一側の開口３０を洗濯槽２の開口２０の内側に臨ませ、洗濯槽２の底部中央に固設されたドラムモータ４の出力軸４０の端部に連結してあり、ドラムモータ４の駆動により、洗濯槽２の内部にて回転するように構成されている。
【００２６】
回転ドラム３は、開口３０の外側に周設された流体バランサ３１を備えている。流体バランサ３１は、回転ドラム３が回転した場合に、この回転に伴う振動を吸収して緩和する作用をなす。ドラムモータ４は、洗濯槽２の底板の外側に連設されたモータ室４１の内部に構成してある。ドラムモータ４の出力軸４０は、洗濯槽２の底板を液密に貫通し、該底板の中央に突出しており、回転ドラム３は、この突出端部に連結してある。
【００２７】
図２に示すように、回転ドラム３の周壁には、多数の小孔３２が全面に亘って貫通形成されており、また、回転ドラム３の内面には、軸長方向に延びる複数のバッフル３３が周方向に等配をなして突設されている。なお、図２には、図面の煩雑化を避けるべく、小孔３２の一部と１つのバッフル３３のみとを図示している。
【００２８】
図１に示すように、外箱１の前面には、蓋体１０の近傍にドア開ボタン１３が設けてある。また、蓋体１０には、蓋体１０の閉止時に押圧操作するための押圧部１４が設けてある。蓋体１０は、ドア開ボタン１３の操作によって開放され、また周縁部を把持して閉操作し、押圧部１４を外側から押すことにより閉止される。外箱１の前面に設けた投入口１１は、洗濯槽２及び回転ドラム３の開口２０，３０に臨ませてある。
【００２９】
外箱１の前面上部には操作パネル１５が設置されている。操作パネル１５は、運転内容を決定するための後述の操作ボタンＢ１，Ｂ２，・・・，Ｂ１８と、複数の操作ボタンによって決定された運転内容に対応する文字及び／又は図形を表示する表示部Ｄ１，Ｄ２，・・・，Ｄ１３とを有する（図４参照）。操作パネル１５は、外箱１の内部における前下部に設けられている運転制御部１６（図２参照）に接続してあり、操作パネル１５が有する操作ボタンＢ１，Ｂ２，・・・，Ｂ１８の中で押圧された操作ボタンを示す操作情報が運転制御部１６に与えられる。運転制御部１６は、与えられた操作情報が示す操作ボタンに基づいて運転内容を決定し、決定した運転内容に従って、後述する洗濯運転及び乾燥運転を行う。
【００３０】
外箱１の後部上面には、水道への接続端となる給水口１７が設けてあり、給水口１７は、外箱１の内側に設けられた給水弁１８に接続されている。給水弁１８は、複数の給水出口を有する多連形の電磁弁である。給水弁１８の第１給水出口は、給水管１９を介して洗濯槽２の底板近傍の上部周面に接続されている。
【００３１】
給水管１９の中途には、銀イオン発生器２２が設けられている。銀イオン発生器２２は、給水管１９を流れる水を滞留させる図示しない水溜め部と、電圧の印加によって銀イオンを水溜め部に滞留している水に溶出する図示しない対向電極とを有する。銀イオン発生器２２、より具体的には対向電極夫々は、運転制御部１６に接続されており、運転制御部１６による対向電極間の電圧印加によって、銀イオンを水溜め部に滞留している水に溶出する。
【００３２】
給水弁１８が第１給水出口に切換えられた場合、給水口１７に流入した水は、給水弁１８及び給水管１９を経て洗濯槽２の内部に供給され、洗い用の洗濯水、又は、すすぎ用のすすぎ水として使用される。尚、給水管１９の中途に、銀イオン発生器２２の他に、公知のように洗剤ケースを配置し、給水と共に適量の洗剤が導入されるように構成することができる。
【００３３】
また、洗濯槽２には、最下位置となる底板近傍の周面に導水管２３が接続されており、導水管２３は、外箱１の内側における前下部に固定支持された筒形のフィルタケース２４に接続されている。フィルタケース２４の内部には、繊維屑等の異物を捕捉するリントフィルタ２５が収容されている。フィルタケース２４の下部は、排水弁２６を介して外箱１の底面に沿って敷設された排水管２７に接続されている。
【００３４】
排水弁２６が開放された場合、洗濯槽２内の洗濯水又はすすぎ水は、導水管２３及びフィルタケース２４を経て排水管２７に排出される。洗濯槽２内の洗濯水又はすすぎ水に含まれる異物は、フィルタケース２４内のリントフィルタ２５によって捕捉され、洗濯水又はすすぎ水から除去される。従って、異物が排水管２７を経て下水管に排出される虞がないため、環境負荷の軽減を図ることができる。
【００３５】
洗濯乾燥機の洗濯運転では、洗濯物Ａの洗い、すすぎ及び脱水が行われる。洗濯物Ａの洗いは、外箱１前面の蓋体１０により投入口１１を開放して洗濯物Ａを投入し、蓋体１０を閉止した後に給水弁１８を第１給水口に切換えて開放することによって洗濯槽２の内部に洗濯水を供給し、ドラムモータ４の駆動によって回転ドラム３を回転せしめて実施される。
【００３６】
前述したように回転ドラム３の周壁には、多数の小孔３２が貫通した状態で形成されており、回転ドラム３の内面には、複数のバッフル３３が突設されている。このため、回転ドラム３の内部の洗濯物Ａは、小孔３２を経て回転ドラム３内に流入する洗濯水に浸され、バッフル３３の作用による持ち上げ及び落下を含めて洗濯水と共に撹拌されて洗われる。洗濯物Ａの洗いが終了した後、排水弁２６が開放され、洗濯槽２内の洗濯水は排水管２７に排出される。
【００３７】
洗濯物Ａのすすぎは、排水弁２６を閉鎖した状態で、給水弁１８を第１給水口に切換えて開放することによって洗濯槽２の内部に、洗剤を含まないすすぎ水を供給し、ドラムモータ４の駆動によって回転ドラム３を回転せしめて実施される。洗濯物Ａは、回転ドラム３内に溜まるすすぎ水に浸され、洗い運転時と同様に、回転ドラム３内での持ち上げ及び落下を繰り返すことですすがれる。
【００３８】
洗濯物Ａの脱水は、すすぎを終了した後、排水弁２６を開放し、回転ドラム３を回転せしめて実施される。回転ドラム３内の洗濯物は、回転ドラム３の内周面に張り付いた状態で回転し、洗濯物に含まれる水は、遠心力の作用により洗濯物から離脱して、回転ドラム３の周壁に設けた小孔３２から導水管２３及びフィルタケース２４を経て排水管２７に排出される。
【００３９】
洗濯物Ａのすすぎ及び脱水は、交互に繰り返して複数回実施される。運転内容が銀イオンを含むすすぎ水で最終のすすぎを行うように決定してある場合、最終のすすぎでは、給水弁１８を第１給水口に切換えて開放し、すすぎ水を、給水管１９を介して洗濯槽２の内部に供給している間に、運転制御部１６は銀イオン発生器２２の対向電極に電圧を印加する。これにより、すすぎ水に対向電極から銀イオンが溶出し、洗濯物Ａは銀イオンが含まれるすすぎ水によってすすがれる。洗濯物Ａがすすぎ水中の銀イオンと接触することによって、洗濯物Ａの抗菌及び防臭が行われる。
【００４０】
また、洗濯乾燥機の乾燥運転は、前述した洗濯運転の洗い、すすぎ及び脱水が終了した後に実施される。この乾燥運転において、ドラムモータ４の駆動により回転ドラム３を回転させると共に、回転ドラム３の内部に乾燥風が循環せしめられる。
【００４１】
図２には、乾燥風の循環風路が略示してある。循環風路５は、洗濯槽２の下部底面に開設された導出口５０と、洗濯槽２の開口２０の周縁部に開設された導入口５１とを、上行ダクト５２及び前行ダクト５３により連絡して構成されている。
【００４２】
上行ダクト５２及び前行ダクト５３夫々は、外箱１の内部における後側及び上側に配してある。上行ダクト５２の下端部及び上端部夫々は、導出口５０及び前行ダクト５３の後端部に連結してある。前行ダクト５３の前端部は、洗濯槽２の前側上部の周縁に開口する導入口５１に接続されている。
【００４３】
前行ダクト５３の中途には、塵埃を捕捉するためのリントフィルタ５４、乾燥風を起風する送風機５５、及び、乾燥風を加熱するヒータ５６が、後側から前側にこの順に介装してある。また、送風機５５及びヒータ５６の間を接続してある前行ダクト５３の側壁には、プラズマクラスタイオン（Plasma Cluster Ion; ＰＣＩ）を発生させて、前行ダクト５３を通流する乾燥風にＰＣＩを含ませるＰＣＩ発生器５７が設けてある。
【００４４】
給水弁１８の第２給水出口は、冷却水管５８を介して上行ダクト５２に沿って下方に延設されており、冷却水管５８の下端は、上行ダクト５２における下部の後壁に接続されている。
【００４５】
以上の如く構成された循環風路５には、送風機５５が起風する乾燥風が循環し、この乾燥風は、ヒータ５６によって加熱され、前行ダクト５３を経て導入口５１に達し、導入口５１から回転ドラム３の内部に吹き込まれる。このとき、回転ドラム３の内部の洗濯物Ａは、回転ドラム３の回転に伴って、周面のバッフル３３の作用により持ち上げられ、図２の２点鎖線が示すように拡がって落下し、この間に前記乾燥風に繰り返し接触することによって乾燥せしめられる。
【００４６】
回転ドラム３に導入された乾燥風は、洗濯物Ａから水分を奪って導出口５０に導出され、上行ダクト５２に戻り、上行ダクト５２内を上昇して前行ダクト５３内に移り、リントフィルタ５４を通過する。これにより、乾燥風に含まれる塵埃はリントフィルタ５４によって捕捉される。リントフィルタ５４によって塵埃が除去された乾燥風は、ヒータ５６によって再加熱されて回転ドラム３の内部に導入される。
【００４７】
乾燥運転が行われている間、給水弁１８は第２給水口に切換えられており、排水弁２６は開放されている。給水口１７に供給された水は、冷却水管５８を経て上行ダクト５２の内部に流出し、導出口５０に達する。導出口５０に達した水は、洗濯槽２に流入した後、導水管２３及びフィルタケース２４を経て排水管２７に排出される。
【００４８】
導出口５０に導出された乾燥風は、上行ダクト５２の内部を流れる水に接触し、該水との熱交換によって冷却される。これにより、乾燥風に含まれる水分は凝縮されて除去される。このように除湿された乾燥風は、前述したようにヒータ５６によって加熱される。加熱された高温低湿の乾燥風が回転ドラム３内を循環する。
【００４９】
ＰＣＩ発生器５７は、洗濯槽２の除菌及び防臭を行う場合に用いられる。ＰＣＩ発生器５７は、図示しない放電電極及び誘電電極を有し、運転制御部１６は、放電電極及び誘電電極間に高電圧を印加することによってコロナ放電を起こし、ＰＣＩを発生させる。
【００５０】
運転内容がＰＣＩによって洗濯槽２の除菌及び防臭を行うように決定してある場合、洗濯運転又は乾燥運転が終了した後に、運転制御部１６は、送風機５５を駆動させると共にＰＣＩ発生器５７の放電電極及び誘電電極間に高電圧を印加する。ＰＣＩ発生器５７によって発生したＰＣＩは、送風機５５によって発生した乾燥風に含まれ、洗濯槽２内に送り込まれる。洗濯槽２内に送り込まれたＰＣＩは、洗濯槽２内の細菌に付着し、除菌する。更に、ＰＣＩは、洗濯槽２内でカビ及び浮遊粒子を不活性化させると共に臭気成分を変性させる。これにより、洗濯槽２内の除菌及び防臭が行われる。
【００５１】
図３は洗濯乾燥機の制御系の構成を示すブロック図である。運転制御部１６は、ＣＰＵ（Central Processing Unit）６０、ＲＯＭ（Read Only Memory）６１、ＲＡＭ（Random Access Memory）６２、不揮発性メモリ６３及び入出力インターフェース６４を共有バスで接続してなるコンピュータである。
【００５２】
ＣＰＵ６０は、ＲＯＭ６１に記憶してある制御プログラムをＲＡＭ６２に読み出して実行する。
不揮発性メモリ６３は、例えばＥＥＰＲＯＭ（Electrically Erasable Programmable Read Only Memory）又はＥＰＲＯＭ（Erasable Programmable Read Only Memory）等からなり、不揮発性メモリ６３の記憶内容はＣＰＵ６０によって書き換えることが可能である。
【００５３】
入出力インターフェース６４は、ドラムモータ４、給水弁１８、排水弁２６、送風機５５、ヒータ５６、銀イオン発生器２２、ＰＣＩ発生器５７及び操作パネル１５に接続されている。
【００５４】
ＣＰＵ６０は、入出力インターフェース６４を介して、操作パネル１５から受け付けた操作情報に基づいて運転内容を決定する。従って、操作パネル１５が有する複数の操作ボタンＢ１，Ｂ２，・・・，Ｂ１８の操作によって運転内容が決定される。ＣＰＵ６０は、操作パネル１５の表示部Ｄ１，Ｄ２，・・・，Ｄ１２夫々に、決定してある運転内容に応じた文字及び／又は図形を表示する。
【００５５】
ＣＰＵ６０は、操作パネル１５から運転の開始を指示する開始指示を受け付けた場合、操作パネル１５の操作によって決定してある運転内容に従って、ドラムモータ４、給水弁１８、排水弁２６、送風機５５、ヒータ５６、銀イオン発生器２２及びＰＣＩ発生器５７夫々の動作を制御する。
【００５６】
具体的には、ＣＰＵ６０は、ドラムモータ４、送風機５５及びヒータ５６夫々の駆動と、給水弁１８及び排水弁２６夫々の開閉と、銀イオン発生器２２が有する対向電極間への電圧印加と、ＰＣＩ発生器５７が有する放電電極及び誘電電極間への電圧印加とを行う。
【００５７】
ＣＰＵ６０は、ドラムモータ４、給水弁１８、排水弁２６、送風機５５、ヒータ５６、銀イオン発生器２２及びＰＣＩ発生器５７夫々の動作を制御することによって、運転内容に応じた洗濯運転及び乾燥運転等の運転を実施する。
【００５８】
図４は操作パネル１５の説明図である。図４には、操作パネル１５の正面図が示されている。操作パネル１５、具体的には操作パネル１５の面上に、操作ボタンＢ１，Ｂ２，・・・，Ｂ１８及び表示部Ｄ１，Ｄ２，・・・，Ｄ１３が設けられている。
【００５９】
操作パネル１５は、操作ボタンＢ１，Ｂ２，・・・，Ｂ１８夫々のいずれかが押圧された場合、押圧された操作ボタンを示す操作情報を通知する。操作ボタンＢ１，Ｂ２，Ｂ３，Ｂ４夫々は、表面に文字及び枠線が印刷されており、常に表示している。
【００６０】
操作ボタンＢ５，Ｂ６，・・・，Ｂ１８夫々は、文字部分又は図形部分と、枠線部分とを有し、文字部分又は図形部分と、枠線部分とは透明の部材で構成され、その他の部分は非透過性の部材で構成されている。操作ボタンＢ５，Ｂ６，・・・，Ｂ１８夫々の背面には図示しない光源、例えばＬＥＤ（Light Emitting Diode）が配されており、各光源が点灯して、対応する操作ボタンに光が照射されることによって文字又は図形と枠線とが表示され、操作ボタンＢ５，Ｂ６，・・・，Ｂ１６夫々は視認可能な状態となる。
【００６１】
操作ボタンＢ５，Ｂ６，・・・，Ｂ１８夫々の中で、対応する光源が消灯してある操作ボタンについては、使用者は文字又は図形と、枠線とを視認することができず、非表示となっている。以上のように、操作ボタンＢ５，Ｂ６，・・・，Ｂ１８夫々は、表示／非表示の切換えが可能に設けられている。
【００６２】
運転制御部１６のＣＰＵ６０は、操作パネル１５を介して、操作ボタンＢ５，Ｂ６，・・・，Ｂ１８の後側に設けられた光源の点灯／消灯を行うことによって、操作ボタンＢ５，Ｂ６，・・・，Ｂ１８夫々について表示／非表示の切換えを行う。
【００６３】
表示部Ｄ１，Ｄ２，・・・，Ｄ１３夫々にも、一又は複数の文字部分又は図形部分が設けられており、文字部分及び図形部分は透明の部材で構成してあり、文字部分及び図形部分夫々の後側に図示しない光源が配置されている。光源が点灯して、対応する文字部分及び図形部分に光が照射されることによって、文字又は図形が表示される。
【００６４】
運転制御部１６のＣＰＵ６０は、操作パネル１５を介して、表示部Ｄ１，Ｄ２，・・・，Ｄ１３の文字部分又は図形部分の後側に設けられた光源の点灯／消灯を行うことによって、表示部Ｄ１，Ｄ２，・・・，Ｄ１３夫々において文字又は図形の表示／非表示の切換えを行う。
【００６５】
操作ボタンＢ１は、電源の投入を指示する電源投入指示を受け付けるために用いられる。電源が投入されていない状態では、操作ボタンＢ５，Ｂ６，・・・，Ｂ１８は表示されておらず、表示部Ｄ１，Ｄ２，・・・，Ｄ１３夫々に文字及び図形のいずれも表示されていない。
【００６６】
不揮発性メモリ６３は、操作ボタンＢ１が押圧された場合に決定する初期の運転内容（以下では初期内容と記載する。）と、操作ボタンＢ１が押圧された場合に操作ボタンＢ５，Ｂ６，・・・，Ｂ１８の中で非表示から表示に切換えるべき操作ボタンを示す第１切換情報とを記憶している。
【００６７】
運転制御部１６のＣＰＵ６０は、操作ボタンＢ１が押圧された場合、電源投入指示を受け付け、洗濯乾燥機に接続してある商用電源からドラムモータ４、給水弁１８、排水弁２６、送風機５５及びヒータ５６への給電を可能にし、初期内容及び第１切換情報夫々を不揮発性メモリ６３から読み出す。ＣＰＵ６０は、表示部Ｄ１，Ｄ２，・・・，Ｄ１３夫々において初期内容に対応する文字及び／又は図形を表示すると共に、第１切換情報が示す操作ボタンを非表示から表示に切換える。
【００６８】
操作ボタンＢ２は、洗濯乾燥機に接続される商用電源からの給電の遮断を指示する電源遮断指示を受け付けるために用いられる。ＣＰＵ６０は、操作ボタンＢ２が押圧された場合、電源遮断指示を受け付け、商用電源からドラムモータ４、給水弁１８、排水弁２６、送風機５５及びヒータ５６夫々への給電を遮断する。
【００６９】
操作ボタンＢ３は、決定してある運転内容での運転の開始を指示する運転開始指示、又は、運転の一時的な停止を指示する運転停止指示を受け付けるために用いられる。ＣＰＵ６０は、洗濯運転又は乾燥運転等の運転が開始されていない状態で操作ボタンＢ３が押圧された場合、運転開始指示を操作パネル１５から受け付けて、決定してある運転内容で運転を開始する。ＣＰＵ６０は、運転が行われている間に操作ボタンＢ３が押圧された場合、運転停止指示を受け付けて運転を一時的に停止する。
【００７０】
操作ボタンＢ４は、蓋体１０のロックの解除を指示する解除指示を受け付けるために用いられる。ＣＰＵ６０は、蓋体１０がロックされている場合、表示部Ｄ３に文字「ドアロック」を表示する。ＣＰＵ６０は、蓋体１０がロックされている状態で操作ボタンＢ４が押圧された場合、解除指示を受け付けて蓋体１０のロックを解除し、表示部Ｄ３において文字「ドアロック」の表示を非表示に切換える。
【００７１】
操作ボタンＢ５は、運転の切換えを指示する運転切換指示を受け付けるために用いられる。不揮発性メモリ６３は、初期内容の他に現状の運転内容（以下、単に運転内容と記載する。）を記憶してある。ＣＰＵ６０は、操作ボタンＢ５が押圧されて運転切換指示を受け付ける都度、運転内容に決定してある運転を「リフレッシュ」、「お手入れ」、「個別運転」、「洗濯」、「乾燥」及び「洗濯〜乾燥」の順に変更する。ＣＰＵ６０は、変更した運転に対応する文字を、操作ボタンＢ５の上側に設けられた表示部Ｄ１に表示する。
【００７２】
「洗濯」運転及び「乾燥」運転夫々は、前述した洗濯運転及び乾燥運転であり、「洗濯〜乾燥」運転は、洗濯運転及び乾燥運転を行う運転である。「リフレッシュ」運転は、ぬいぐるみ、スカーフ又はブーツ等の洗濯することができない洗濯不可製品の除菌及び防臭を行う運転であり、洗濯不可製品が回転ドラム３内に投入してある状態で行われる。
【００７３】
ＣＰＵ６０は、「リフレッシュ」運転が行われる場合、ＰＣＩ発生器５７にＰＣＩを発生させ、送風機５５を駆動して、ＰＣＩ発生器５７が発生したＰＣＩを回転ドラム３内に送り込む。送り込まれたＰＣＩによって洗濯不可製品の除菌及び防臭が行われる。
【００７４】
「お手入れ」運転は、洗濯槽２及び回転ドラム３を洗浄する運転であり、洗濯槽２及び回転ドラム３の洗浄するための洗剤が投入された状態で行われる。ＣＰＵ６０は、「お手入れ」運転が行われる場合、給水弁１８を第１給水口に切換えて開放することによって適量の水を洗濯槽２内に供給した後に回転ドラム３を回転させる。これにより、洗濯槽２及び回転ドラム３は洗浄される。
【００７５】
「個別運転」では、洗濯運転の洗い、すすぎ及び脱水、並びに乾燥運転の中から使用者によって選択された運転が行われる。ＣＰＵ６０は、洗い、すすぎ、脱水及び乾燥運転の中で実行する項目の決定と、選択された項目を実行する時間又は回数の決定とを操作ボタンＢ１３，Ｂ１４，・・・，Ｂ１８から受け付けて、受け付けた内容で運転を行う。
【００７６】
操作ボタンＢ６は、運転内容に決定してあるコースの変更を指示するコース変更指示を受け付けるために用いられる。運転内容に決定することが可能なコースは、運転内容に決定してある「リフレッシュ」又は「お手入れ」等の運転によって異なる。不揮発性メモリ６３は、後述するように、運転内容に決定してある運転夫々に応じた決定可能なコースを記憶している。
【００７７】
ＣＰＵ６０は、操作ボタンＢ６が押圧されてコース変更指示を受け付ける都度、運転内容に決定してあるコースを決定可能なコースの中で順次変更する。例えば、運転内容に決定してある運転が「洗濯」運転であった場合、ＣＰＵ６０は、操作ボタンＢ６が押圧される都度、運転内容に決定してあるコースを「標準」、「柔らか」、「わが家流」、「念入り」、「ドライ」及び「お急ぎ」の順に変更する。ＣＰＵ６０は、変更したコースに対応する文字を、操作ボタンＢ６の上側に設けられた表示部Ｄ２に表示する。
【００７８】
運転内容に決定される可能性があるコースは、「静止」、「回転」、「ドライ」、「毛布」、「室内干し」、「念入り」、「柔らか」、「わが家流」、「標準」及び「お急ぎ」である。「静止」コースは、回転ドラム３を静止させた状態で「リフレッシュ」運転を行うコースであり、「回転」コースは、回転ドラム３を回転させた状態で「リフレッシュ」運転を行うコースである。
【００７９】
「ドライ」コースは、ウール若しくはカシミヤ等のセーター、ブラウス、スカート又はスラックス等のデリケートな衣類の洗濯又は乾燥を行うコースである。「毛布」コースは、毛布又はカーペットカバー等の大きくて厚い洗濯物を丁寧に洗って、念入りにすすぎ、緩やかな温風で乾燥するコースである。「室内干し」コースは、短時間の部屋干しで洗濯物が乾燥するように、洗濯及び乾燥を行うコースである。
【００８０】
「念入り」コースは、泥汚れがひどい衣類、例えば作業着を洗濯するコースであり、「念入り」コースが実施された場合、衣類は強く洗われてしっかりすすがれる。「柔らか」コースは、赤ちゃん用の衣類、又は、タオル等の洗濯物を洗濯するコースであり、「柔らか」コースが実施された場合、洗濯物はごわつきを抑えた状態でふんわりと仕上げられる。
【００８１】
「わが家流」コースは、使用者によって、洗濯運転の洗い、すすぎ及び脱水と、乾燥運転との中で行う項目と、各項目を行う時間又は回数とが設定された使用者専用のコースである。「標準」コースは一般的な洗濯及び／又は乾燥を行うコースである。「お急ぎ」コースは短時間で洗濯及び／又は乾燥を行うコースである。
【００８２】
操作ボタンＢ７は、操作ボタンＢ８，Ｂ９，・・・，Ｂ１８の中の詳細内容の決定に係る操作ボタンの表示を指示する表示指示を受け付けるために用いられる。不揮発性メモリ６３は、操作ボタンＢ７が押圧された場合に、操作ボタンＢ８，Ｂ９，・・・，Ｂ１８の中で非表示から表示に切換えるべき操作ボタンを示す第２切換情報を記憶している。不揮発性メモリ６３は、決定してある現状の運転内容に応じた複数の第２切換情報を記憶しており、複数の第２切換情報夫々が示す操作ボタンは互いに異なっている。
【００８３】
図５は、不揮発性メモリ６３に記憶してある運転、コース及び第２切換情報の関係を示す図表である。不揮発性メモリ６３には、図５に示すように、「洗濯」運転、「洗濯〜乾燥」運転及び「乾燥」運転等の運転夫々について、使用者が決定することが可能なコースが記憶されている。例えば、運転内容に決定してある運転が「洗濯」運転である場合、使用者は、操作ボタンＢ６の押圧によって、「標準」、「柔らか」、「わが家流」、「念入り」、「毛布」、「ドライ」及び「お急ぎ」の中のいずれか１つのコースを決定することができる。
【００８４】
更に、不揮発性メモリ６３には、図５に示すように、第２切換情報が示す操作ボタンは、運転内容に応じて記憶されている。例えば、「洗濯」運転と「柔らか」コースとが決定してある運転内容に応じた第２切換情報は操作ボタンＢ８，Ｂ９，・・・，Ｂ１２を示す。
【００８５】
ＣＰＵ６０は、操作ボタンＢ７が押圧された場合、決定してある現状の運転内容に応じた第２切換情報を、複数の第２切換情報の中から読み出し、読み出した第２切換情報が示す操作ボタンを非表示から表示に切換える。
【００８６】
操作ボタンＢ８は、洗濯運転及び乾燥運転等の終了時刻の予約指示を受け付けるために用いられる。ＣＰＵ６０は、操作ボタンＢ８が押圧された場合、操作ボタンＢ８の上側の表示部Ｄ４に時計の形状をなす図形を表示し、予約指示が受け付けられたことを使用者に報知する。現在決定してある予約時刻が操作パネル１５の中央下側にある表示部Ｄ１３に表示される。
【００８７】
操作ボタンＢ１７，Ｂ１８夫々は、表示部Ｄ１３に表示されている時刻、時間又は回数等の数値の減少指示及び増加指示を受け付けるために用いられる。ＣＰＵ６０は、操作ボタンＢ１７が押圧されて減少指示を受け付けた場合に表示部Ｄ１３に表示されている数値を所定量だけ減少させ、操作ボタンＢ１８が押圧されて増加指示を受け付けた場合に表示部Ｄ１３に表示されている数値を所定量だけ増加させる。
【００８８】
ＣＰＵ６０は、現在の予約時刻が表示部Ｄ１３に表示されている場合、操作ボタンＢ１７，Ｂ１８のいずれか１つが押圧されて減少指示又は増加指示を受け付ける都度、受け付けた減少指示又は増加指示に従って予約時刻を変更する。
【００８９】
操作ボタンＢ９は、運転内容に決定してある洗いを、ふろ水を用いる場合の洗いに変更する変更指示、又は、運転内容に決定してある洗い及びすすぎを、ふろ水を用いる場合の洗い及びすすぎに変更する変更指示を受け付けるために使用される。操作ボタンＢ９が押圧された場合、ＣＰＵ６０は、運転内容に決定してある洗いを、ふろ水を用いる場合の洗いに変更する変更指示を受け付け、運転内容に決定してある洗いを、ふろ水を用いた場合に行う洗いに変更し、表示部Ｄ５に文字「洗い」を表示する。
【００９０】
更に、操作ボタンＢ９が押圧された場合、ＣＰＵ６０は、運転内容に決定してある洗い及びすすぎを、ふろ水を用いる場合の洗い及びすすぎに変更する変更指示を受け付け、運転内容に決定してある洗い及びすすぎ夫々を、ふろ水を用いた場合の洗い及びすすぎに変更し、表示部Ｄ５に文字「洗い」及び「すすぎ」を表示する。ＣＰＵ６０は、更に、操作ボタンＢ９が押圧された場合、運転内容に決定してある洗い及びすすぎを、ふろ水を用いない標準の洗い及びすすぎに変更し、表示部Ｄ５に表示してある文字を非表示に切換える。
【００９１】
操作ボタンＢ１０は、前述したように、最終のすすぎを、銀イオンを含むすすぎ水で除菌及び防臭を行う指示を受け付けるため、及び、銀イオン発生器２２に発生させる銀イオンの量を決定するために用いられる。ＣＰＵ６０は、操作ボタンＢ１０が押圧された場合、最終のすすぎを、銀イオン発生器２２に標準量の銀イオンを溶出させたすすぎ水で行うように運転内容を決定し、操作ボタンＢ１０の上側にある表示部Ｄ６に文字「Ａｇ」を表示する。
【００９２】
ＣＰＵ６０は、更に操作ボタンＢ１０が押圧された場合、最終のすすぎを、銀イオン発生器２２に標準量よりも多い銀イオンを溶出させたすすぎ水で行うように運転内容を決定し、表示部Ｄ６に文字「強」を表示する。ＣＰＵ６０は、更に操作ボタンＢ１０が押圧された場合、最終のすすぎを、銀イオンの含まないすすぎ水で行うように運転内容を決定し、表示部Ｄ６に表示してある文字「強」を非表示に切換える。
【００９３】
操作ボタンＢ１１は、前述したＰＣＩによる洗濯槽２の除菌及び防臭を行う指示を受け付けるため、及び、ＰＣＩ発生器５７に発生させるＰＣＩの量を決定するために用いられる。ＣＰＵ６０は、操作ボタンＢ１１が押圧された場合、洗濯運転又は乾燥運転を終了した後に、ＰＣＩ発生器５７に標準量のＰＣＩを発生させて、発生させたＰＣＩで洗濯槽２の除菌及び防臭を行うように運転内容を決定し、操作ボタンＢ１１の上側にある表示部Ｄ７に文字「ＰＣＩ」を表示する。
【００９４】
ＣＰＵ６０は、更に操作ボタンＢ１１が押圧された場合、洗濯運転又は乾燥運転を終了した後に、ＰＣＩ発生器５７に標準量よりも多いＰＣＩを発生させて、発生させたＰＣＩで洗濯槽２の除菌及び防臭を行うように運転内容を決定し、表示部Ｄ７に文字「強」を表示する。ＣＰＵ６０は、更に操作ボタンＢ１１が押圧された場合、洗濯運転又は乾燥運転を終了した後のＰＣＩによる除菌及び防臭をしないように運転内容を決定し、表示部Ｄ７に表示してある文字「強」を非表示に切換える。
【００９５】
操作ボタンＢ１２は、洗濯運転で行うすすぎの回数を１回にする指示を受け付けるために用いられる。ＣＰＵ６０は、操作ボタンＢ１２が押圧された場合、運転内容において洗濯運転で行うすすぎの回数を１回に決定し、操作ボタンＢ１２の上側にある表示部Ｄ８に文字「すすぎ１回」を表示する。ＣＰＵ６０は、更に、操作ボタンＢ１２が押圧された場合、運転内容において洗濯運転で行うすすぎの回数を標準回数、例えば２回に決定し、表示部Ｄ８に表示してある文字「すすぎ１回」を非表示にする。
【００９６】
操作ボタンＢ１３は、運転内容が「個別運転」に決定してある場合に、洗いを行う指示を受け付けるために用いられる。ＣＰＵ６０は、運転内容が「個別運転」に決定してある状態で、操作ボタンＢ１３が押圧された場合、運転内容で「洗い」を行うように決定し、操作ボタンＢ１３の上側にある表示部Ｄ９に矩形板状の図形を表示する。このとき、ＣＰＵ６０は、運転内容に決定してある洗い時間を表示部Ｄ１３に表示し、操作ボタンＢ１７，Ｂ１８の押圧によって、運転内容に決定してある洗い時間の減少指示又は増加指示を受け付けて該洗い時間を増減し、増減した洗い時間を表示部Ｄ１３に表示する。
【００９７】
ＣＰＵ６０は、運転内容が「個別運転」に決定してある状態で、更に操作ボタンＢ１３が押圧された場合、運転内容で洗いを行わないように決定し、表示部Ｄ９に表示してある矩形板状の図形を非表示に切換える。
【００９８】
操作ボタンＢ１４は、運転内容が「個別運転」に決定してある場合に、すすぎを行う指示を受け付けるために用いられる。ＣＰＵ６０は、運転内容が「個別運転」に決定してある状態で、操作ボタンＢ１４が押圧された場合、運転内容で「すすぎ」を行うように決定し、操作ボタンＢ１４の上側にある表示部Ｄ１０に矩形板状の図形を表示する。このとき、ＣＰＵ６０は、運転内容に決定してあるすすぎ回数を表示部Ｄ１３に表示し、操作ボタンＢ１７，Ｂ１８の押圧によって、運転内容に決定してあるすすぎ回数の減少指示又は増加指示を受け付けて該すすぎ回数を増減し、増減したすすぎ回数を表示部Ｄ１３に表示する。
【００９９】
ＣＰＵ６０は、運転内容が「個別運転」に決定してある状態で、更に操作ボタンＢ１４が押圧された場合、運転内容ですすぎを行わないように決定し、表示部Ｄ１０に表示してある矩形板状の図形を非表示に切換える。
【０１００】
操作ボタンＢ１５は、運転内容が「個別運転」に決定してある場合に、脱水を行う指示を受け付けるために用いられる。ＣＰＵ６０は、運転内容が「個別運転」に決定してある状態で、操作ボタンＢ１５が押圧された場合、運転内容で「脱水」を行うように決定し、操作ボタンＢ１５の上側にある表示部Ｄ１１に矩形板状の図形を表示する。このとき、ＣＰＵ６０は、運転内容に決定してある脱水時間を表示部Ｄ１３に表示し、操作ボタンＢ１７，Ｂ１８の押圧によって、運転内容に決定してある脱水時間の減少指示又は増加指示を受け付けて該脱水時間を増減し、増減した脱水時間を表示部Ｄ１３に表示する。
【０１０１】
ＣＰＵ６０は、運転内容が「個別運転」に決定してある状態で、更に操作ボタンＢ１５が押圧された場合、運転内容で脱水を行わないように決定し、表示部Ｄ１１に表示してある矩形板状の図形を非表示に切換える。
【０１０２】
操作ボタンＢ１６は、運転内容が「個別運転」に決定してある場合に、乾燥運転を行う指示を受け付けるために用いられる。ＣＰＵ６０は、運転内容が「個別運転」に決定してある状態で、操作ボタンＢ１６が押圧された場合、運転内容で「乾燥」運転を行うように決定し、操作ボタンＢ１６の上側にある表示部Ｄ１２に矩形板状の図形を表示する。このとき、ＣＰＵ６０は、運転内容に決定してある乾燥時間を表示部Ｄ１３に表示し、操作ボタンＢ１７，Ｂ１８の押圧によって、運転内容に決定してある乾燥時間の減少指示又は増加指示を受け付けて該乾燥時間を増減し、増減した乾燥時間を表示部Ｄ１３に表示する。
【０１０３】
ＣＰＵ６０は、運転内容が「個別運転」に決定してある状態で、更に操作ボタンＢ１６が押圧された場合、運転内容で「乾燥」運転を行わないように決定し、表示部Ｄ１２に表示してある矩形板状の図形を非表示に切換える。
【０１０４】
不揮発性メモリ６３は、操作ボタンＢ５，Ｂ６，Ｂ８，・・・，Ｂ１６のいずれか１つが押圧されて、運転、コース又は詳細内容が変更された場合に、操作ボタンＢ５，Ｂ６，・・・，Ｂ１８の中で表示すべき操作ボタンを示す表示情報を運転内容ごとに記憶している。ＣＰＵ６０は、操作ボタンＢ５，Ｂ６，Ｂ８，・・・，Ｂ１６のいずれか１つが押されて、運転、コース又は詳細内容が変更された場合、決定してある運転内容に応じた表示情報を読み出し、読み出した表示情報が示す操作ボタンを表示し、表示情報が示していない操作ボタンを非表示に切換える。
【０１０５】
例えば、運転内容が「個別運転」で操作ボタンＢ８，Ｂ９，・・・，Ｂ１６が表示されている状態で、操作ボタンＢ１５が押圧されて運転内容が「脱水」のみを行うように決定された場合、ＣＰＵ６０は運転内容に対応する表示情報を読み出す。読み出された表示情報が操作ボタンＢ８，Ｂ１１，Ｂ１２，・・・，Ｂ１６を示している場合、操作ボタンＢ９，Ｂ１０は非表示に切換わる。「脱水」のみが行われる場合、ふろ水による洗い、並び、銀イオンによる除菌及び防臭が行われることはないため、運転内容の決定に不必要な操作ボタンＢ９，Ｂ１０夫々を非表示にすることが可能となる。
【０１０６】
また、不揮発性メモリ６３は、表示／非表示の切換えが可能な操作ボタンＢ５，Ｂ６，・・・，Ｂ１８の中で操作された一又は複数の操作ボタンを示す操作履歴を記憶している。不揮発性メモリ６３が記憶している操作履歴は、操作ボタンＢ５，Ｂ６，・・・，Ｂ１８の中の１つが押圧される都度、ＣＰＵ６０によって更新される。これにより、不揮発性メモリ６３は、更新された操作履歴を記憶する。ＣＰＵ６０は、操作ボタンＢ３が押圧されて運転開始指示を受け付けた場合、不揮発性メモリ６３に記憶してある操作履歴に基づいて、不揮発性メモリ６３に記憶してある第１切換情報が示す操作ボタンを書き換える。
【０１０７】
第１切換情報が示す操作ボタンを書き換える一例として、ＣＰＵ６０は、操作ボタンＢ５，Ｂ６，・・・，Ｂ１８の中で、操作ボタンＢ１が押圧されて電源投入指示を受け付けてから、操作ボタンＢ３が押圧されて運転開始指示を受け付けるまでに押圧された操作ボタンを操作履歴から参照し、第１切換情報が示す操作ボタンを、参照した操作ボタンに書き換える。
【０１０８】
第１切換情報が示す操作ボタンを書き換える他例として、ＣＰＵ６０は、操作履歴を参照して、操作ボタンＢ５，Ｂ６，・・・，Ｂ１８の中で所定回数以上押圧された操作ボタンを選択し、第１切換情報が示す操作ボタンを、選択した操作ボタンに書き換える。
【０１０９】
図６、図７及び図８は運転制御部のＣＰＵが実行する動作の手順を示すフローチャートである。ＣＰＵ６０は、まず図６に示すように、操作ボタンＢ１の押圧によって電源投入指示を受け付けたか否かを判定する（ステップＳ１）。ＣＰＵ６０は、電源投入指示を受け付けいないと判定した場合（ステップＳ１：ＮＯ）、処理をステップＳ１に戻し、電源投入指示を受け付けるまで待機する。
【０１１０】
ＣＰＵ６０は、電源投入指示を受け付けたと判定した場合（ステップＳ１：ＹＥＳ）、不揮発性メモリ６３から初期内容及び第１切換情報を読み出し（ステップＳ２）、不揮発性メモリ６３に記憶してある運転内容を初期内容に変更する（ステップＳ３）。
【０１１１】
ＣＰＵ６０は、ステップＳ３を実行した後、不揮発性メモリ６３に記憶してある運転内容に対応する文字及び／又は図形を表示し（ステップＳ４）、操作ボタンＢ５，Ｂ６，・・・，Ｂ１８の中から第１切換情報が示す操作ボタンを、操作パネル１５上で非表示から表示に切換える（ステップＳ５）。
【０１１２】
次に、ＣＰＵ６０は、操作ボタンＢ５の押圧によって運転切換指示を受け付けたか否かを判定する（ステップＳ６）。ＣＰＵ６０は、運転切換指示を受け付けていないと判定した場合（ステップＳ６：ＮＯ）、操作ボタンＢ６の押圧によってコース変更指示を受け付けたか否かを判定する（ステップＳ７）。
【０１１３】
ＣＰＵ６０は、コース変更指示を受け付けていないと判定した場合（ステップＳ７：ＮＯ）、操作ボタンＢ７の押圧によって詳細内容の決定に係る操作ボタンの表示指示を受け付けた否かを判定する（ステップＳ８）。ＣＰＵ６０は、表示指示を受け付けたと判定した場合（ステップＳ８：ＹＥＳ）、操作履歴を更新する（ステップＳ９）。これにより、不揮発性メモリ６３は、操作ボタンＢ７が追加された操作履歴を記憶する。次に、ＣＰＵ６０は、決定してある現状の運転内容に応じた第２切換情報を不揮発性メモリ６３から読み出す（ステップＳ１０）。
【０１１４】
次に、ＣＰＵ６０は、操作ボタンＢ８，Ｂ９，・・・，Ｂ１８の中から、ステップＳ９で読み出した第２切換情報が示す操作ボタンを非表示から表示に切換える（ステップＳ１１）。ＣＰＵ６０は、ステップＳ１１を実行した後、操作ボタンＢ８，Ｂ９，・・・，Ｂ１８の中の表示してある操作ボタンの押圧によって詳細内容の変更指示を受け付けたか否かを判定する（ステップＳ１２）。
【０１１５】
ＣＰＵ６０は、運転切換指示を受け付けたと判定した場合（ステップＳ６：ＹＥＳ）、コース変更指示を受け付けたと判定した場合（ステップＳ７：ＹＥＳ）、又は、詳細内容の変更指示を受け付けたと判定した場合（ステップＳ１２：ＹＥＳ）、操作履歴を更新する（ステップＳ１３）。これにより、不揮発性メモリ６３は、操作ボタンＢ５，Ｂ６，Ｂ８，Ｂ９，・・・，Ｂ１８の中で押圧された操作ボタンが追加された操作履歴を記憶する。ＣＰＵ６０は、ステップＳ１３を実行した後、受け付けた運転切換指示、コース変更指示又は詳細内容の変更指示に従って、不揮発性メモリ６３に記憶してある運転内容を変更する（ステップＳ１４）。
【０１１６】
次に、ＣＰＵ６０は、ステップＳ１４で変更した運転内容に対応する文字及び／又は図形を表示し（ステップＳ１５）、決定してある現在の運転内容に応じた表示情報を不揮発性メモリ６３から読み出す（ステップＳ１６）。
【０１１７】
ＣＰＵ６０は、ステップＳ１６で読み出した表示情報に基づいて操作ボタンＢ５，Ｂ６，・・・，Ｂ１８の表示／非表示の切換えを行う（ステップＳ１７）。具体的に、ＣＰＵ６０は、操作ボタンＢ５，Ｂ６，・・・，Ｂ１８の中で、表示情報が示す操作ボタンを表示に切換え、表示情報が示していない操作ボタンを非表示に切換える。
【０１１８】
ＣＰＵ６０は、表示指示を受け付けていないと判定した場合（ステップＳ８：ＮＯ）、詳細内容の変更指示を受け付けていないと判定した場合（ステップＳ１２：ＮＯ）、又は、ステップＳ１７を実行した後、操作ボタンＢ３の押圧によって運転開始指示を受け付けたか否かを判定する（ステップＳ１８）。
【０１１９】
ＣＰＵ６０は、運転開始指示を受け付けていないと判定した場合（ステップＳ１８：ＮＯ）、処理をステップＳ６に戻し、運転開始指示を受け付けるまで、運転切換指示、コース変更指示、表示指示又は詳細内容の変更指示を受け付けて不揮発性メモリ６３に記憶してある運転内容を変更し、操作履歴を更新する。
【０１２０】
ＣＰＵ６０は、運転開始指示を受け付けたと判定した場合（ステップＳ１８：ＹＥＳ）、不揮発性メモリ６３に記憶してある初期内容を現状の運転内容に変更し（ステップＳ１９）、操作履歴に基づいて第１切換情報が示す操作ボタンを書き換える（ステップＳ２０）。
【０１２１】
これにより、電源が投入されていない状態で使用者が操作ボタンＢ１を押圧した場合に、操作ボタンＢ５，Ｂ６，・・・，Ｂ１８の中で非表示から表示に切換えられる操作ボタンが操作履歴に基づいて変更されるので、使用者にとって利便性が高い。
【０１２２】
ＣＰＵ６０は、ステップＳ２０を実行した後、ドラムモータ４、給水弁１８又は排水弁２６等の動作を制御することによって、不揮発性メモリ６３に記憶してある運転内容に従った運転を実施する（ステップＳ２１）。その後、ＣＰＵ６０は処理を終了する。
【０１２３】
図９から図１７は運転制御部１６のＣＰＵ６０が操作パネル１５の面上で行う表示処理の一例の説明図である。ここで、初期内容は「標準」コースで「洗濯〜乾燥」運転を実施する内容であり、第１切換情報は操作ボタンＢ５，Ｂ６，Ｂ７を示しているものとする。
【０１２４】
ＣＰＵ６０が電源投入指示を受け付けるまで待機している間、操作パネル１５の面上には、図９に示すように操作ボタンＢ１，Ｂ２，Ｂ３，Ｂ４のみが表示されている。
【０１２５】
ＣＰＵ６０は、操作ボタンＢ１を押圧されて電源投入指示を受け付けた場合、図１０に示すように初期内容に変更された運転内容に対応する文字「洗濯〜乾燥」及び「標準」が表示部Ｄ１，Ｄ２夫々に表示し、第１切換情報が示す操作ボタンＢ５，Ｂ６，Ｂ７を非表示から表示に切換える。
【０１２６】
第１切換情報が示す操作ボタンＢ５，Ｂ６，Ｂ７は、操作履歴に基づいており、運転内容を決定する場合に操作される可能性が高い。このため、使用者が運転内容を決定する場合に、操作する可能性がない又は低い操作ボタンを非表示にし、操作する可能性が高い操作ボタンを表示することができ、使用者にとって運転を決定する場合に、操作すべき操作ボタンが分かりやすく、運転内容を容易に決定することができる。
なお、ＣＰＵ６０は表示部Ｄ１３には現在の時刻を表示している。
【０１２７】
次に、ＣＰＵ６０は、操作ボタンＢ５を押圧されて運転切換指示を受け付けた場合、運転内容に決定してある運転を「洗濯〜乾燥」運転から、例えば「洗濯」運転に変更し、図１１に示すように、表示部Ｄ１に、変更した「洗濯」運転に対応する文字「洗濯」を点滅させ、他の決定可能な運転を連続的に表示する。
【０１２８】
ＣＰＵ６０は、所定時間経過した後、図１２に示すように、点滅してある文字「洗濯」のみを表示部Ｄ１に連続的に表示する。次に、ＣＰＵ６０は、操作ボタンＢ６が押圧されてコース変更指示を受け付けた場合、運転内容に決定してあるコースを「標準」コースから例えば「柔らか」コースに変更し、図１３に示すように、表示部Ｄ２に、変更した「柔らか」コースに対応する文字「柔らか」を点滅させ、他の決定可能なコースを連続的に表示する。
【０１２９】
ＣＰＵ６０は、所定時間経過した後、図１４に示すように、点滅してある文字「柔らか」のみを表示部Ｄ２に連続的に表示する。次に、ＣＰＵ６０は、操作ボタンＢ７が押圧されて表示指示を受け付けた場合、図１５に示すように、操作ボタンＢ８，Ｂ９，・・・，Ｂ１８の中で、決定してある現状の運転内容に応じた第２切換情報が示す操作ボタンＢ８，Ｂ９，・・・，Ｂ１２を表示する。
【０１３０】
従って、操作ボタンＢ７が押圧された場合、決定してある現状の運転内容に応じた操作ボタンＢ８，Ｂ９，・・・，Ｂ１２が表示されるので使用者にとって利便性が高い。また、使用者が運転内容の詳細内容を決定する場合に操作する可能性がない又は低い操作ボタンＢ１３，Ｂ１４，・・・，Ｂ１８が非表示であり、運転内容の決定に押圧される可能性が高い操作ボタンＢ８，Ｂ９，・・・，Ｂ１２を表示することができる。このため、使用者にとって運転内容を決定する場合に、操作すべき操作ボタンが分かりやすく、運転内容を容易に決定することができる。
【０１３１】
ＣＰＵ６０は、操作ボタンＢ１０，Ｂ１１，Ｂ１２が押圧された場合、銀イオンによる除菌及び防臭、ＰＣＩによる除菌及び防臭、並びに、１回のすすぎを行うように運転内容を決定し、図１６に示すように、表示部Ｄ６，Ｄ７，Ｄ８夫々に文字「Ａｇ」、「ＰＣＩ」及び「すすぎ１回」を表示する。
【０１３２】
以上に述べた表示処理では、操作ボタンＢ５，Ｂ６，・・・，Ｂ１８の中で、電源が投入されていない状態で操作ボタンＢ１が押圧されてから、操作ボタンＢ５，Ｂ６，Ｂ７，Ｂ１０，Ｂ１１，Ｂ１２が押圧され、不揮発性メモリ６３が記憶している操作履歴が更新されている。操作履歴が示す操作ボタンに、操作ボタンＢ５，Ｂ６，Ｂ７，Ｂ１０，Ｂ１１，Ｂ１２が含まれる。
【０１３３】
次に、ＣＰＵ６０は、操作ボタンＢ３を押圧されて運転開始指示を受け付けた場合、前述したように、初期内容を、決定してある現状の運転内容に変更して操作履歴に基づいて第１切換情報が示す操作ボタンを書き換えた後、決定してある運転内容に従った運転を実施する。
【０１３４】
従って、以上に述べた表示処理の一例では、初期内容は、「柔らか」コースで「洗濯」運転を行い、かつ、銀イオンによる除菌及び防臭、ＰＣＩによる除菌及び防臭、並びに、１回のすすぎを行う図１６に示すような運転内容に変更される。
【０１３５】
そして、不揮発性メモリ６３に記憶してある第１切換情報が示す操作ボタンを、操作ボタンＢ５，Ｂ６，・・・，Ｂ１８の中で電源投入指示を受け付けてから運転開始指示を受け付けるまでに押圧された操作ボタンに書き換えるようにＣＰＵ６０を構成してある場合、電源が投入されていない状態で操作ボタンＢ１が押圧されたとき、操作パネル１５は図１７に示すように表示される。
【０１３６】
具体的に、ＣＰＵ６０は、電源が投入されていない状態で操作ボタンＢ１が押圧された場合、操作ボタンＢ５，Ｂ６，Ｂ７，Ｂ１０，Ｂ１１，Ｂ１２を非表示から表示に切換え、表示部Ｄ１，Ｄ２，Ｄ６，Ｄ７，Ｄ８夫々に文字「洗濯」、「柔らか」、「Ａｇ」、「ＰＣＩ」及び「すすぎ１回」を表示する。
【０１３７】
なお、操作ボタンＢ１，Ｂ２，・・・，Ｂ１８は特許請求の範囲における複数の操作部に該当し、操作ボタンＢ１，Ｂ７夫々は特許請求の範囲における一の操作部に該当する。ＣＰＵ６０は、特許請求の範囲における読出手段、切換手段及び書換手段に該当し、不揮発性メモリ６３は特許請求の範囲における記憶手段及び第２の記憶手段に該当する。
【０１３８】
（実施の形態２）
図１８、図１９及び図２０は、実施の形態２に係る運転制御部１６のＣＰＵ６０が操作パネル１５の面上で行う表示処理の手順を示すフローチャートである。実施の形態２においては、ＣＰＵ６０が行う初期内容の変更方法、及び、第１切換情報が示す操作ボタンの書換方法が実施の形態１と異なる。
【０１３９】
以下では、ＣＰＵ６０が行う初期内容の変更方法、及び、第１切換情報が示す操作ボタンの書換方法を説明し、実施の形態１と共通する実施の形態２の構成には同様の符号を付してその詳細な説明を省略する。
【０１４０】
実施の形態２においては、操作ボタンＢ４は、解除指示を受け付けるためだけではなく、不揮発性メモリ６３に記憶してある初期内容の変更指示、及び、第１切換情報が示す操作ボタンの書換指示を受け付けるために用いられる。なお、ＣＰＵ６０は、操作ボタンＢ２が所定時間、例えば３秒間押圧された場合に初期内容の変更指示、及び、書換指示を受け付ける。操作ボタンＢ４は特許請求の範囲における書換操作部に該当する。
【０１４１】
実施の形態２においてＣＰＵ６０が実行するステップＳ３０からＳ３７、Ｓ３８からＳ４０、及び、Ｓ４１からＳ４４夫々は、実施の形態１においてＣＰＵ６０が実行するステップＳ１からＳ８、Ｓ１０からＳ１２、及び、Ｓ１４からＳ１７と同じであるため、詳細な説明を省略する。ただし、実施の形態２におけるＣＰＵ６０は、表示指示を受け付けたと判定した場合（ステップＳ３７：ＹＥＳ）、操作履歴を更新せずに、ステップＳ３８を実行し、詳細内容の変更指示を受け付けたと判定した場合（ステップＳ４０：ＹＥＳ）、操作履歴を更新せずに、ステップＳ４１を実行する。
【０１４２】
ＣＰＵ６０は、表示指示を受け付けていないと判定した場合（ステップＳ３７：ＮＯ）、詳細内容の変更指示を受け付けていないと判定した場合（ステップＳ４０：ＮＯ）、又は、ステップＳ４４を実行した後、操作ボタンＢ４が所定時間、押圧されることによって初期内容の変更指示及び書換指示を受け付けたか否かを判定する（ステップＳ４５）。
【０１４３】
ＣＰＵ６０は、初期内容の変更指示及び書換指示を受け付けたと判定した場合（ステップＳ４５：ＹＥＳ）、不揮発性メモリ６３に記憶してある初期内容を、決定してある現状の運転内容に変更する（ステップＳ４６）。次に、ＣＰＵ６０は、第１切換情報が示す操作ボタンを、操作ボタンＢ５，Ｂ６，・・・，Ｂ１８の中で表示してある操作ボタンに書き換える（ステップＳ４７）。
【０１４４】
これにより、使用者は、電源が投入されていない状態で操作ボタンＢ１が押圧された場合に操作パネル１５の面上に表示される操作ボタンを、所望する操作ボタンに変更することができるので、使用者にとって利便性が高い。
【０１４５】
次に、ＣＰＵ６０は、初期内容の変更指示及び書換指示を受け付けていないと判定した場合（ステップＳ４５：ＮＯ）、又は、ステップＳ４７を実行した後、操作ボタンＢ３の押圧によって運転開始指示を受け付けたか否かを判定する（ステップＳ４８）。ＣＰＵ６０は、運転開始指示を受け付けていないと判定した場合（ステップＳ４８：ＮＯ）、処理をステップＳ３５に戻し、運転開始指示を受け付けるまで、運転切換指示、コース変更指示、表示指示、詳細内容の変更指示、初期内容の変更指示、及び、書換指示を受け付けたか否かの判定を繰り返す。
【０１４６】
ＣＰＵ６０は、運転開始指示を受け付けたと判定した場合（ステップＳ４８：ＹＥＳ）、入出力インターフェース６４に接続してあるドラムモータ４、給水弁１８又は排水弁２６等の動作を制御することによって、不揮発性メモリ６３に記憶してある運転内容に従った運転を実施する（ステップＳ４９）。
【０１４７】
なお、実施の形態２において、ＣＰＵ６０が行う初期内容の変更方法、及び、第１切換情報が示す操作ボタンの書き換え方法のみが実施の形態１と異なるので、実施の形態１で述べたように、実施の形態２に係る洗濯乾燥機は、操作ボタンＢ５，Ｂ６，・・・，Ｂ１８の中で、使用者にとって運転内容を決定する場合に操作すべき操作ボタンが分かりやすく運転内容の決定が容易である。また、実施の形態２においても、操作ボタンＢ７が押圧された場合、決定してある現状の運転内容に応じた操作ボタンＢ８，Ｂ９，・・・，Ｂ１２が表示されるので使用者にとって利便性が高い。
【０１４８】
初期内容の変更指示及び書換指示を受け付ける操作ボタンは操作ボタンＢ４に限定されず、操作ボタンＢ１，Ｂ２，Ｂ３，Ｂ５，Ｂ６，・・・，Ｂ１８のいずれあってもよい。更には、新たに初期内容の変更指示及び書換指示を受け付けるための操作ボタンを操作パネル１５の面上に設けてもよい。
【０１４９】
なお、実施の形態１及び２において、操作パネル１５の面上での表示／非表示の切換えが可能な操作ボタンは、１８個に限定されず、少なくとも１つ以上あればよい。また、操作ボタンＢ１，Ｂ２，・・・，Ｂ５の代わりに、押圧以外の他の操作が行われる操作部を用いてもよい。
【０１５０】
また、本発明については、洗濯乾燥機に限定されず、運転内容を操作パネルが有する操作部の操作によって受け付ける洗濯機、食器洗浄機及び電子レンジ等の電気機器にも適用することができ、本発明を洗濯乾燥機に適用した場合と同様の効果を奏する。
【符号の説明】
【０１５１】
１５  操作パネル
６０  ＣＰＵ
６３  不揮発性メモリ
Ｂ１，Ｂ２，・・・，Ｂ１８  操作ボタン
【図１】
2014050601.tif 000003
【図２】
2014050601.tif 000004
【図３】
2014050601.tif 000005
【図４】
2014050601.tif 000006
【図５】
2014050601.tif 000007
【図６】
2014050601.tif 000008
【図７】
2014050601.tif 000009
【図８】
2014050601.tif 000010
【図９】
2014050601.tif 000011
【図１０】
2014050601.tif 000012
【図１１】
2014050601.tif 000013
【図１２】
2014050601.tif 000014
【図１３】
2014050601.tif 000015
【図１４】
2014050601.tif 000016
【図１５】
2014050601.tif 000017
【図１６】
2014050601.tif 000018
【図１７】
2014050601.tif 000019
【図１８】
2014050601.tif 000020
【図１９】
2014050601.tif 000021
【図２０】
2014050601.tif 000022